(57)【要約】【課題】薬剤ごとに噴霧器を準備しなければならない従来の煩雑さを解消する、一台で複数の薬剤加工処理を行うことができる衣類の薬剤加工装置を提供することを主要な目的とする。【解決手段】複数の薬剤を分けて貯留する複数の薬剤貯蔵容器２〜５から、薬剤を選択的に取り出して、衣類にスプレーガン６を用いて吹き付ける、衣類の薬剤加工装置１に係る。薬剤加工装置１は、薬剤アウトレット部７と、上記薬剤アウトレット部７から分岐し、該薬剤アウトレット部７と複数の薬剤貯蔵容器２〜５とを接続する複数の管路１０〜１３とを備える。薬剤アウトレット部７は、スプレーガン６に接続され、薬剤貯蔵容器１０〜１３から送られてくる薬剤を、スプレーガン６に向けて排出するものである。複数の管路１０〜１３のそれぞれに、それぞれの管路を独立に開閉するボールバルブ１０ａ，１１ａ，１２ａ、１３ａが設けられる。【選択図】図２
0003175342.tif 000002
【実用新案登録請求の範囲】
【請求項１】
複数の薬剤を分けて貯留する複数の薬剤貯蔵容器から、薬剤を選択的に取り出して、衣類にスプレーガンを用いて吹き付ける、衣類の薬剤加工装置であって、
前記スプレーガンに接続され、前記薬剤貯蔵容器から送られてくる薬剤を、該スプレーガンに向けて排出する薬剤アウトレット部と、
前記薬剤アウトレット部から分岐し、該薬剤アウトレット部と前記それぞれの薬剤貯蔵容器とを接続する複数の管路と、
前記複数の管路のそれぞれに設けられ、それぞれの管路を独立に開閉するボールバルブと、を備えた衣類の薬剤加工装置。
【請求項２】
前記薬剤アウトレット部と前記複数の管路は、一枚のボードに固定されている、請求項１に記載の衣類の薬剤加工装置。
【請求項３】
前記管路を少なくとも４本備え、それぞれの管路は、洗浄液と同じ液を希釈液として使用した、それぞれ異なった４種の薬剤が収容された薬剤貯蔵容器に接続された請求項１又は２に記載の、衣類の薬剤加工装置。
【考案の詳細な説明】
【技術分野】
【０００１】
本考案は衣類の薬剤加工装置に関するものであり、より特定的には、薬剤の使用量を減らし簡単で安価に４種類の加工を施すことができ、かつ爆発を防止することができるように工夫された衣類の薬剤加工装置に関する。
【背景技術】
【０００２】
ほとんどのクリーニング店では、水洗いすると縮みが出たり、色褪せたりする衣類を、安全に洗うために、ドライクリーニングする。ドライクリーニング後は、顧客の要望に応じて、薬剤加工を施すことが多い。
【０００３】
薬剤加工の代表例として、柔らかく高級感をもった生地に仕上げるカシミヤ加工、背広などでシャキっとした感じに仕上げるオーダー加工、絹のような光沢を与えるシルク加工、色の退色を元に戻すスッキリ加工などがある。その他、形態安定加工、抗ウイルス加工、高級シワ加工など多くの種類の加工がある。これらは化学薬剤を用いて行われる。
【０００４】
従来これらの加工を行う場合、１ガン１薬剤、すなわち、薬剤ごとにガンを備えた噴霧器を用いて行っていた。
【考案の概要】
【考案が解決しようとする課題】
【０００５】
しかし、薬剤ごとにガンを備えた噴霧器を用いて、加工処理を行うと、薬剤ごとに噴霧器を準備しなければならず、噴霧器代の分、加工賃が高くなる。薬剤は通常有機溶媒に溶かされて噴霧器に充填されている場合が多く、大量の噴霧を行った場合、着火源が近くにあると、引火して爆発を生じることがあり、問題となっていた。
【０００６】
本考案は、上記問題点を解決するためになされたもので、薬剤の使用量を減少させることができるように工夫された衣類の薬剤加工装置を提供することを目的とする。
【０００７】
本考案の他の目的は、爆発の危険性のない衣類の薬剤加工装置と手段を提供することにある。
【０００８】
本考案のさらに他の目的は、薬剤ごとに噴霧器を準備しなければならない従来の無駄を解消する、一台で複数の薬剤加工処理を行うことができる衣類の薬剤加工装置を提供することにある。
【課題を解決するための手段】
【０００９】
本考案は、複数の薬剤を分けて貯留する複数の薬剤貯蔵容器から、薬剤を選択的に取り出して、衣類にスプレーガンを用いて吹き付ける衣類の薬剤加工装置であって、上記スプレーガンに接続され、上記薬剤貯蔵容器から送られてくる薬剤を、該スプレーガンに向けて排出する薬剤アウトレット部と、上記薬剤アウトレット部から分岐し、該薬剤アウトレット部と上記それぞれの薬剤貯蔵容器とを接続する複数の管路と、上記複数の管路のそれぞれに設けられ、それぞれの管路を独立に開閉するボールバルブと、を備える。
【００１０】
本考案によれば、それぞれの薬剤をボールバルブで切り替えて選択し、スプレーガンから衣類に吹き付けることができるので、一台で複数の薬剤加工処理を行うことができる。スプレーガンを使うので、噴霧力が強力かつ、衣類が濡れた状態で噴霧する為、少量の薬剤で、衣類に浸透させることができる。
【００１１】
上記薬剤アウトレット部と上記複数の管路は、一枚のボードに固定されているのが好ましい。モジュール（機能的にまとまった部品）の形で流通させることができるからである。このモジュールに複数の薬剤貯蔵容器と、スプレーガンと、コンプレッサを取り付けると種々の薬剤加工が一台でできる薬剤加工装置が完成する。
【００１２】
上記管路を少なくとも４本備え、それぞれの管路は、それぞれ異なった４種の薬剤が収容された薬剤貯蔵容器に接続されるのが好ましい。代表的な４種の薬剤加工が一台でできる。
【考案の効果】
【００１３】
本考案の衣類の薬剤加工装置によれば、一台で複数の薬剤加工処理を行うことができる。スプレーガンを使うので、少量の薬剤で、衣類に浸透させることができる。従来のように薬剤ごとにガン（噴霧機）を備えたスプレーを用いて行う場合に比べて、無駄がない。少量の薬剤でかつ、衣類が濡れた状態で噴霧するので、爆発の危険性もない。従来、加工処理は乾燥後に行うため、一連の作業工程として作業が出来なかった。その為手間が掛かり、非常に面倒であったが、当加工機は乾燥前（乾燥機に衣類を投入した直後）に加工処理を行い、かつ洗浄液と同じ液を希釈液として使用していることから毛細管現象が起こるため、吸着も速く、効果も高い。
【図面の簡単な説明】
【００１４】
【図１】実施の形態に係る衣類の薬剤加工装置の組み立てに用いるモジュールの概念図である。
【図２】実施例に係る薬剤加工装置の概念図である。
【考案を実施するための形態】
【００１５】
図１は、一台で複数の薬剤加工処理を行うことができる、衣類の薬剤加工装置の組み立てに用いるモジュールの概念図である。
【００１６】
衣類の薬剤加工装置の組み立てに用いるモジュール２１は、薬剤アウトレット部７と、上記薬剤アウトレット部７から分岐し、該薬剤アウトレット部７と後述する複数の薬剤貯蔵容器とを接続する複数の管路（点線で示す）１０，１１，１２，１３とを、一枚のボードに溶接により固定してなる。薬剤アウトレット部７は、後述するスプレーガンに接続され、薬剤貯蔵容器から送られてくる薬剤を、該スプレーガンに向けて排出するものである。複数の管路１０，１１，１２，１３のそれぞれに、それぞれの管路を独立に開閉するボールバルブ１０ａ，１１ａ，１２ａ、１３ａが設けられる。薬剤アウトレット部７は、例えばＴ字型の鉄管またはステンレス管で形成され、複数の管路１０，１１，１２，１３も、それぞれ、鉄管またはステンレスの管１４（必要に応じて直線型の管とＬ字型の管とＴ字型の管を併用）で形成され、これらは管継ぎ手１５で連結されている。これら管路を構成する鉄管またはステンレス管は、一枚のボード１６に溶接により固定される。ビス穴１７については、後述する。以下、このモジュールについて、図を用いて、さらに詳しく説明する。
【実施例】
【００１７】
図２は本考案の実施例に係る上記モジュールを用いて作成した、衣類の薬剤加工装置の概念図である。図２を参照して、衣類の薬剤加工装置１は、複数の薬剤を分けて貯留する複数の薬剤貯蔵容器２，３，４，５から、薬剤を選択的に取り出して、衣類にスプレーガン６を用いて、吹き付けて加工するものである。
【００１８】
薬剤加工装置１は、薬剤アウトレット部７を備える。薬剤アウトレット部７には、スプレーガン６の薬剤供給ホース接続口８がホース９で接続される。薬剤アウトレット部７は、薬剤貯蔵容器２，３，４，５から送られてくる薬剤を、該スプレーガン６に向けて排出する。薬剤アウトレット部７から、該薬剤アウトレット部７とそれぞれの薬剤貯蔵容器２，３，４，５とを接続する複数の管路１０，１１，１２，１３が分岐している。上記複数の管路１０，１１，１２，１３のそれぞれには、それぞれの管路を独立に開閉するボールバルブ１０ａ，１１ａ，１２ａ，１３ａが設けられている。なお、図１と同一部分には同一の参照番号を付し、その説明を繰り返さない。
【００１９】
薬剤アウトレット部７を構成するＴ字型鉄管またはステンレス管と、複数の管路１０，１１，１２，１３を構成する各鉄管またはステンレス管と、これらの鉄管またはステンレス管を接続する管継ぎ手１５のそれぞれは、図のように並べると例えば縦２４５ｍｍ、横１７０ｍｍの面積に配置され得る大きさであり、これらは一枚のボード１６に溶接により固定されている。これにより、薬剤加工装置１をモジュール（機能的にまとまった部品）の形で、大量に生産でき、流通させることができる。ボード１６の大きさは、例えば縦６００ｍｍ、横３５０ｍｍである。
【００２０】
このボード１６は、ビス穴１７を利用して、ビスにより壁に固定できるようにする。このモジュールに、ホース９を用いて薬剤貯蔵容器２，３，４，５と別途市販のスプレーガン６を取り付け、スプレーガン６の空気供給ホース接続口２０にコンプレッサをホース９を用いて取り付けると、種々の薬剤加工が一台でできる薬剤加工装置が完成する。
【００２１】
薬剤貯蔵容器２（約２リットル）には例えばカシミヤ加工薬剤が貯蔵され、薬剤貯蔵容器３には例えばオーダ加工薬剤が貯蔵され、薬剤貯蔵容器４には例えばシルク加工薬剤が貯蔵され、薬剤貯蔵容器５には例えばスッキリ加工薬剤が貯蔵される。それぞれの薬剤は、洗浄液と同じ液で希釈されている。従来、加工処理は乾燥後に行うため、一連の作業工程として作業が出来なかった。その為手間が掛かり、非常に面倒であったが、当加工機は洗浄液で衣類を洗浄後、乾燥前（乾燥機に衣類を投入した直後）に加工処理を行い、かつ洗浄液と同じ液を希釈液として使用していることから毛細管現象が起こるため、吸着も速く、効果も高い。
【００２２】
スプレーガン６の吐出量調節つまみ１８で薬剤吐出量が調節され、エア調節つまみ１９で空気圧が調節される。
【００２３】
動作について説明する。当加工機は洗浄液で衣類を洗浄後、乾燥前（乾燥機に衣類を投入した直後）に加工処理を行う。例えばカシミヤ加工を行う場合は、管路１０をボールバルブ１０ａにより開け、他のボールバルブ１１ａ，１２ａ，１３ａを閉じて、スプレーガン６を駆動する。これにより、カシミヤ加工薬剤が貯蔵されている薬剤貯蔵容器２から、管路１０を通って、薬剤アウトレット部７からスプレーガン６に向けて排出され、スプレーガン６の銃口から衣類に向けてカシミヤ加工薬剤が噴霧される。この装置によると、約２０着に対して加工を施すには５秒噴霧するだけでよく、薬剤使用量は、従来の３分の１になる。
【００２４】
背広のオーダ加工を行う場合は、管路１１をボールバルブ１１ａにより開け、他のボールバルブ１０ａ，１２ａ，１３ａを閉じて、スプレーガン６を駆動する。これにより、オーダ加工薬剤が貯蔵されている薬剤貯蔵容器３から、管路１１を通って、薬剤アウトレット部７からスプレーガン６に向けて排出され、スプレーガン６の銃口から衣類に向けてオーダ加工薬剤が噴霧される。
【００２５】
シルク加工を行う場合は、管路１２をボールバルブ１２ａにより開け、他のボールバルブ１０ａ，１１ａ，１３ａを閉じて、スプレーガン６を駆動する。これにより、シルク加工薬剤が貯蔵されている薬剤貯蔵容器４から、管路１２を通って、薬剤アウトレット部７からスプレーガン６に向けて排出され、スプレーガン６の銃口から衣類に向けてシルク加工薬剤が噴霧される。
【００２６】
スッキリ加工を行う場合は、管路１３をボールバルブ１３ａにより開け、他のボールバルブ１０ａ，１１ａ，１２ａを閉じて、スプレーガン６を駆動する。これにより、スッキリ加工薬剤が貯蔵されている薬剤貯蔵容器５から、管路１３を通って、薬剤アウトレット部７からスプレーガン６に向けて排出され、スプレーガン６の銃口から衣類に向けてスッキリ加工薬剤が噴霧される。
【００２７】
上記実施例では管路を４本備え、それぞれの管路は、カシミヤ加工薬剤、オーダ加工薬剤、シルク加工薬剤又はスッキリ加工薬剤が収容された薬剤貯蔵容器に接続される場合を例示したが、本考案はこれに限られるものでない。１本を予備として残しておき、３つの薬剤貯蔵容器に接続させる使い方をしてもよい。管路の本数は必要に応じて選ばれる。２本であってもよい。また、加工薬剤についても、ユーザーの意向に合わせて変更できる。但し、撥水加工については薬剤の特性から、当加工機を用いて使用することは基本できない。
【００２８】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２９】
本考案の薬剤加工装置によれば、種々の薬剤加工が一台でできる。少量の薬剤でかつ衣類が濡れた状態で噴霧するので、爆発の危険性が少なくなる。
【符号の説明】
【００３０】
１                              薬剤加工装置
２，３，４，５                  薬剤貯蔵容器
６                              スプレーガン
７                              薬剤アウトレット部
８                              薬剤供給ホース接続口
９                              ホース
１０，１１，１２，１３          管路
１０ａ，１１ａ、１２ａ、１３ａ  ボールバルブ
１４                            鉄管またはステンレスの管
１５                            管継ぎ手
１６                            ボード
１７                            ビス穴
１８                            吐出量調節つまみ
１９                            エア調節つまみ
２０                            空気供給ホース接続口
２１                            モジュール
【図１】
0003175342.tif 000003
【図２】
0003175342.tif 000004